(57)【要約】【課題】洗浄後の動物の皮膚の角質水分量を増加させることができる保湿性に優れた動物用洗浄剤を提供することにある。【解決手段】ポリ−γ−グルタミン酸とカチオン性界面活性剤から形成されるイオンコンプレックスを含有する、動物用洗浄剤。【選択図】なし【特許請求の範囲】
【請求項１】
ポリ−γ−グルタミン酸とカチオン性界面活性剤から形成されるイオンコンプレックスを含有する、動物用洗浄剤。
【請求項２】
前記イオンコンプレックスが動物の角質層においてラメラ構造を有する、請求項１に記載の動物用洗浄剤。
【請求項３】
前記カチオン性界面活性剤が第４級アンモニウム塩である、請求項１または２に記載の動物用洗浄剤。
【請求項４】
前記カチオン性界面活性剤が塩化セチルピリジニウム、塩化ラウリルピリジニウム、塩化ベンゼトニウム、塩化ベンザルコニウムからなる群より選択される１種以上である、請求項１〜３のいずれか１項に記載の動物用スキンケア剤。
【請求項５】
前記ポリ−γ−グルタミン酸を構成するグルタミン酸のうち、Ｌ−グルタミン酸の占める割合が９０％以上である、請求項１〜４のいずれか１項に記載の動物用スキンケア剤。
【発明の詳細な説明】
【技術分野】
【０００１】
本発明は、保湿性に優れる動物用洗浄剤に関する。
【背景技術】
【０００２】
近年、イヌやネコに代表されるペット（動物）の飼育において、動物の健康志向の上昇に伴い、快適性の向上が要望されている。動物は、外部からの汚れや体液に長く接触する機会が多いため皮膚常在細菌や黴類が繁殖しやすく、皮膚炎等の感染症や臭気による不快感をもたらすことがある。動物の皮膚炎は、汚れ以外にも低湿度の環境下での乾燥や紫外線、洗浄剤にも起因し、動物にとって苦痛となる場合がある。そのため、ペット（動物）の健康と快適性を維持するためには、皮膚の常時的な清潔性が求められている。
【０００３】
ペット等の動物の皮膚は、ヒトと同様、角質細胞より構成されるが、コレステロール、セラミド、脂肪酸等の角質細胞間脂質の溶出、角質細胞の変性や表皮細胞の増殖および角化バランスの崩壊による各層バリア機能の形成不全等によって、肌荒れをもたらすことがある。肌荒れを起こすと、動物が患部を舐めたり、掻いたり、噛んだりすることで、細菌類の二次感染症を招き、さらに肌荒れを悪化させることがある。
【０００４】
前記の動物の肌荒れの対策としては、動物の皮膚の定期的な洗浄が望ましいとされるが、実際には、洗浄剤で洗浄することにより、角質の水分保持機能が失われたり、過剰な皮脂の脱落により逆に症状を悪化させることが知られている。
【０００５】
前記問題点を解消すべく、従来の動物用洗浄剤には、様々な種類の保湿剤が含有されている。保湿剤は、皮膚の経表皮水分の水分喪失を防ぐことで、角質層の水分−油分の天然保湿因子のバランスを整え、潤いを与えるものである。例えば、特許文献１には、セラミド類を含有するペット用洗浄剤が開示されており、洗浄後の皮膚からの水分の蒸散を抑制できることが報告されている。セラミドは、脂溶層と水溶層が交互に重なり合ったラメラ層を形成し、バリア機能による経表皮水分の蒸散を抑える作用がある。しかしながら、天然型セラミドは、生産性が低く、コストが高いという点で問題がある。
【０００６】
一方、特許文献２に示されるように、スフィンゴシンと脂肪酸から合成される人工型セラミドが数例開発されている。しかし、人工型セラミドは生産性を高くするという点では改良されたものの、人工的に合成されたという点では、消費者にとって使用中の安心感が低いという問題がある。
【０００７】
かかる現状を鑑みると、動物用洗浄剤としては、安全性、皮膚親和性が高く、且つ、保湿性を有する素材が配合されることが望まれる。天然高分子であるポリ−γ−グルタミン酸（以下、ＰＧＡと表記することがある）は、ここ最近、天然保湿成分として注目を集めている材料の１つである。ＰＧＡは、微生物が生産するバイオポリマーであり、グルタミン酸のα−アミノ基とγ−カルボキシル基がアミド結合して形成されたポリアミノ酸である。ＰＧＡは、納豆の糸引きの主成分として知られ、生分解性と皮膚親和性を兼ね備えている。しかし、ＰＧＡは、水溶性が高いため、水洗時に洗浄剤と共に洗い流されてしまうとか、動物の舐める行為に対し、保湿成分が脱落するという問題がある。
【０００８】
特許文献３には、ＰＧＡと第４級アンモニウムイオン化合物から形成されるイオンコンプレックス（以下、ＰＧＡＩＣと表記することがある）が記載されている。当該イオンコンプレックスは、ＰＧＡと第４級アンモニウムがイオン結合により複合体を形成したものであり、水に不溶性のポリマーである。
【先行技術文献】
【特許文献】
【０００９】
【特許文献１】特開２００５−２８９８２０号公報
【特許文献２】特開平４−３２７５６３号公報
【特許文献３】特開２０１０−２２２４９６号公報
【発明の概要】
【発明が解決しようとする課題】
【００１０】
本発明は、かかる従来技術の課題を背景になされたものである。すなわち、本発明の目的は、ＰＧＡとカチオン性界面活性剤からなるイオンコンプレックスを含有し、角質層へ浸透し、洗浄後の皮膚の角質水分量を増加させることができる保湿性に優れた動物用洗浄剤を提供することにある。
【課題を解決するための手段】
【００１１】
本発明者は鋭意検討した結果、以下に示す手段により上記課題を解決できることを見出し、本発明に到達した。
すなわち、本発明は、以下の構成からなる。
［１］  ポリ−γ−グルタミン酸とカチオン性界面活性剤から形成されるイオンコンプレックスを含有する、動物用洗浄剤。
［２］  前記イオンコンプレックスが動物の角質層においてラメラ構造を有する、［１］に記載の動物用洗浄剤。
［３］  前記カチオン性界面活性剤が第４級アンモニウム塩である、［１］または［２］に記載の動物用洗浄剤。
［４］  前記カチオン性界面活性剤が塩化セチルピリジニウム、塩化ラウリルピリジニウム、塩化ベンゼトニウム、塩化ベンザルコニウムからなる群より選択される１種以上である、［１］〜［３］のいずれか１項に記載の動物用スキンケア剤。
［５］  前記ポリ−γ−グルタミン酸を構成するグルタミン酸のうち、Ｌ−グルタミン酸の占める割合が９０％以上である、［１］〜［４］のいずれか１項に記載の動物用スキンケア剤。
【発明の効果】
【００１２】
本発明は、動物用洗浄剤に含まれるポリ−γ−グルタミン酸（ＰＧＡ）とカチオン性界面活性剤から形成されるイオンコンプレックスが動物を洗浄している際に、角質層へ浸透するとともに、その後の乾燥にしたがいイオンコンプレックスがラメラ構造を形成し、洗浄後の角質層の水分量を維持または増加させることができる。また、前記イオンコンプレックスは水不溶性であるため、動物の舐める行動に対しても成分が失われることなく、保湿効果、肌荒れを効果的に予防できる。また、前記イオンコンプレックスは、カチオン性界面活性剤を含有するため、＋の電荷を帯びやすい動物の被毛に付着した際に静電気の発生を抑制し、ひいてはアレルゲンの付着を抑制する効果も期待できる。
【図面の簡単な説明】
【００１３】
【図１】本発明に用いるイオンコンプレックスの小角Ｘ線散乱プロファイルである。
【発明を実施するための形態】
【００１４】
本発明の動物用洗浄剤は、ポリ−γ−グルタミン酸とカチオン性界面活性剤から形成されるイオンコンプレックスを含むことを特徴とする。
【００１５】
ポリ−γ−グルタミン酸（以下、単にＰＧＡとも言う。）は、グルタミン酸のα−アミノ基とγ−カルボキシル基とがアミド結合したポリアミノ酸である。ＰＧＡの種類は、特に制限されない。例えば、Ｌ−グルタミン酸のみからなるもの、Ｄ−グルタミン酸のみからなるもの、両方を含むものがあるが、何れも用いることができる。但し、一方の割合がより多い方が立体規則性に優れ、強度なども高くなり、また、よく乾燥すれば融点（約１５０℃）も示す様になる。この融点は、イオンコンプレックスとすることで、より明確となる。さらに、Ｌ−グルタミン酸からなるものの方が生分解性に優れるので、Ｌ−グルタミン酸の含有割合が９０ｍｏｌ％以上であるＰＧＡを用いることが好ましい。また、Ｌ−グルタミン酸をより多く含むイオンコンプレックスの方がラメラ構造を形成する速度が速いデータが得られている。
【００１６】
使用するＰＧＡの分子サイズは特に制限されないが、平均分子量で１０ｋＤ以上のものが好適である。一般的に、分子サイズが大きいほど皮膚への接着性能が高くなる。一方、分子サイズが過剰に大きなＰＧＡは製造コストが大きく、また、製造が難しい場合もあるので、通常は１，０００ｋＤ以下とする。
【００１７】
ＰＧＡは、市販されているものがあればそれを用いてもよいし、別途製造してもよい。但し、通常の条件でグルタミン酸を重合するとポリ−α−グルタミン酸が得られるので、微生物を使って生合成させることが好ましい。ＰＧＡを生産する微生物としては、Ｂａｃｉｌｌｕｓ  ｓｕｂｔｉｌｉｓ（納豆菌）、Ｂａｃｉｌｌｕｓ  ｓｕｂｔｉｌｉｓ（戦国醤菌）、Ｂａｃｉｌｌｕｓ  ｍｅｇａｔｅｒｉｕｍ、Ｂａｃｉｌｌｕｓ  ａｎｔｈｒａｃｉｓ、Ｂａｃｉｌｌｕｓ  ｈａｌｏｄｕｒａｎｓ、Ｎａｔｒｉａｌｂａ  ａｅｇｙｐｔｉａｃａ、Ｈｙｄｒａなどがある。分子サイズの大きいＰＧＡを製造できる微生物としては、枯草菌であるＢａｃｉｌｌｕｓ  ｓｕｂｔｉｌｉｓや超好塩古細菌であるＮａｔｒｉａｌｂａ  ａｅｇｙｐｔｉａｃａがある。この中でも、Ｌ−グルタミン酸のみからなるＰＧＡを生産する微生物であるＮａｔｒｉａｌｂａ  ａｅｇｙｔｉａｃａによって生産されたＰＧＡを用いるのが好ましい。
【００１８】
本発明において、イオンコンプレックスを構成するカチオン性界面活性剤は、特に制限されないが、第４級アンモニウム塩、脂肪族アミンが好ましく、より好ましくは第４級アンモニウム塩である。第４級アンモニウム塩としては、塩化セチルピリジニウム、塩化ラウリルピリジニウム、塩化ベンゼトニウム、塩化ジステアリルジメチルアンモニウム、塩化ステアリルジメチルベンジルアンモニウム、塩化ステアリルトリメチルアンモニウム、塩化セチルトリメチルアンモニウム、塩化ラウリルトリメチルアンモニウム等が挙げられる。脂肪族アミンとしては、ポリ−Ｌ−リジン、ポリエチレンイミン等が挙げられる。これらの中でも、好ましくは塩化セチルピリジニウム、塩化ラウリルピリジニウム、塩化ベンゼトニウム、塩化ベンザルコニウムが挙げられる。これらのカチオン性界面活性剤は１種のみでイオンコンプレックスを形成してもよいし、２種以上を含むイオンコンプレックスにしてもよい。
【００１９】
本発明において、イオンコンプレックスとしては、ＰＧＡを構成するグルタミン酸とカチオン性界面活性剤とを等モルあるいは任意のモル比で含むものを用いることができるが、過剰な親水性などＰＧＡの有する材料としての欠点を克服するために、カチオン性界面活性剤により十分に改質されているものが好適である。より具体的には、イオンコンプレックスにおけるカチオン性界面活性剤の割合が、ＰＧＡを構成するグルタミン酸に対して０．５モル倍以上であることが好ましく、０．６モル倍以上であることがより好ましい。また、１．１モル倍以下が好ましく、１．０モル倍以下がより好ましい。
【００２０】
本発明において、イオンコンプレックスは、ＰＧＡの溶液とカチオン性界面活性剤の溶液とを混合するか、共通の溶媒にＰＧＡとカチオン性界面活性剤を混合、溶解するのみで、極めて容易に製造できる。
【００２１】
本発明において、使用する溶媒としては、水が好適である。原料であるＰＧＡを良好に溶解できるからであり、また、目的化合物であるイオンコンプレックスは水に対して不溶性であることから、反応後における目的物の単離精製に好都合なためである。但し、カチオン性界面活性剤の水溶性などによっては、反応液に対するそれらの溶解性を高めるために、メタノールやエタノールなどのアルコール；ＴＨＦなどのエーテル；ジメチルホルムアミドやジメチルアセトアミドなどの水溶性有機溶媒を反応液に添加してもよい。しかし、反応終了後におけるイオンコンプレックスの分離を考慮すれば、溶媒としては水のみを用いることが好ましい。
【００２２】
本発明において、ＰＧＡは、その塩を用いてもよい。当該塩としては、ナトリウム塩やカリウム塩などのアルカリ金属塩、カルシウム塩やマグネシウム塩などのアルカリ土類金属塩などを挙げることができる。また、塩を用いる場合であっても全てのカルボキシ基が塩となっている必要はなく、その一部のみが塩となっていてもよい。但し、アルカリ土類金属塩などの多価金属塩は、水に対する溶解性が低い場合があり得るので、好適にはＰＧＡのフリー体またはＰＧＡの一価金属塩を用いる。
【００２３】
カチオン性界面活性剤は通常、ハロゲン化物塩として存在する。よって、本発明においては、反応液へ第４級アンモニウム塩もしくは脂肪族アミンを直接添加、或いは当該塩を水溶媒に溶解した上で添加すればよい。第四級アンモニウム塩もしくは脂肪族アミンは、ＰＧＡを十分に改質するため、ＰＧＡに対して十分量用いることが好ましい。
【００２４】
本発明において、イオンコンプレックスは水不溶性であることから、水溶媒から容易に分離できるため、反応液における各成分の濃度は特に制限されない。例えば、反応液におけるＰＧＡの濃度を０．５ｗ／ｖ％以上、１０ｗ／ｖ％以下程度、カチオン性界面活性剤の濃度を１．０ｗ／ｖ％以上、１０ｗ／ｖ％以下程度とすることができる。
【００２５】
反応液は、コンプレックスの形成を促進するために適度に加熱することが好ましい。加熱温度は、例えば４０℃以上、８０℃以下程度とすることができる。反応時間は適宜調整すればよいが、通常、１時間以上、２０時間以下程度とすることができる。
【００２６】
本発明において、イオンコンプレックスは水不溶性であることから、濾過や遠心分離などにより水溶媒から容易に分離することができる。また、分離したイオンコンプレックスは、水で洗浄することにより、過剰の（未反応の）ＰＧＡまたはカチオン性界面活性剤、その他の塩を除去することも可能である。また、水溶媒は、アセトンなどで洗浄することにより簡便に除去できる。
【００２７】
本発明において、得られたイオンコンプレックスを小角Ｘ線散乱（ＳＡＸＳ）により測定すると、図１に示されるような強度プロファイルを観察することができる。図１によれば、ｑ＝１．７８、３．５８、５．３６、７．１５ｎｍ−１の位置にピークが観察され、当該イオンコンプレックスはラメラ層が多重に積層した構造を有していることが理解される。すなわち、当該イオンコンプレックスは、ラメラ構造を形成していることからラメラ間に水分を保有することが可能であり、これを洗浄剤等のスキンケア用途に適用すればセラミドと同様の保湿効果を発現することが期待できる。
【００２８】
また、本発明において、イオンコンプレックスは、カチオン性界面活性剤のプラス（＋）電荷がＰＧＡのマイナス（−）電荷によりマスキングされているため、皮膚への刺激性が低く、肌への密着性、浸透性が高い。また、適度な吸湿性を有するとともに、角質水分の蒸散を防ぐ膜を形成し、保湿性に優れるものである。
【００２９】
本発明の動物用洗浄剤は、当該イオンコンプレックスとともに他の界面活性剤を含有してもよい。
【００３０】
他の界面活性剤としては、非イオン性界面活性剤やアニオン性界面活性剤を併用することができ、いずれか一方でもよいし両方を併用してもよい。
【００３１】
非イオン性界面活性剤としては、多価アルコール脂肪酸エステルや多価アルコールアルキルエーテルなどが挙げられる。
【００３２】
アニオン性界面活性剤としては、脂肪酸セッケン、高級アルキル硫酸エステル塩、アルキルエーテル硫酸エステル塩、Ｎ−アシルサルコシン酸塩、高級脂肪酸アミドスルホン酸塩、リン酸エステル塩、スルホコハク酸塩、アルキルベンゼンスルホン酸塩、Ｎ−アシルグルタミン酸塩、高級脂肪酸エステル硫酸エステル塩、ＰＯＥアルキルエーテルカルボン酸、ＰＯＥアルキルアリルエーテルカルボン酸塩、α−オレフィンスルホン酸塩、高級脂肪酸エステルスルホン酸塩、二級アルコール硫酸エステル塩、高級脂肪酸アルキロールアミド硫酸エステル塩、ラウロイルモノエタノールアミドコハク酸ナトリウム、Ｎ−パルミトイルアスパラギン酸ジトリエタノールアミン、カゼインナトリウム、ココイルアラニンＮａ等が例示される。これらのアニオン界面活性剤は、１種を単独で、若しくは２種以上を組み合わせて用いることができる。
【００３３】
本発明において、動物用洗浄剤に含有される界面活性剤の配合量としては、特に制限されないが、イオンコンプレックスに対し、０．１〜５倍量が好ましく、より好ましくは０．５〜４倍量の範囲である。
【００３４】
本発明において、動物用洗浄剤に含有されるイオンコンプレックスの配合割合としては、効果を発現でき且つ洗浄剤としての機能を損なわない範囲が好ましく、具体的には０．１％〜５．０％が好ましく、０．１％〜２．０％がより好ましい。
【００３５】
本発明において、動物用洗浄剤は、イオンコンプレックスに加えて炭素数１〜５のアルコールを含有することができる。より好ましくは炭素数１〜３のアルコールであり、特に好ましくは炭素数２〜３のアルコールである。炭素数１〜５のアルコールの配合量は０．００１％〜５０質量％が好ましく、より好ましくは０．１〜２０質量％である。
【００３６】
本発明において、動物用洗浄剤は、イオンコンプレックスに加えて低級の多価アルコールを配合させることができる。低級の多価アルコールは前記アルコールと共に含有してもよい。低級の多価アルコールの化粧料に対する配合量は０．００１質量％〜８０質量％が好ましく、より好ましくは０．１質量％〜７０質量％である。
【００３７】
低級の多価アルコールとしては、二価アルコール、三価アルコールが挙げられる。
【００３８】
本発明において、動物用洗浄剤は、イオンコンプレックスとは別に保湿剤を含有してもよい。保湿剤としては、親水性保湿剤および／または親油性保湿剤であればよく、親水性保湿剤として、アミノ酸、ペプチド、蛋白質、高級アルコール及びこれらの誘導体、親油性保湿剤として、リン脂質、糖脂質、ステロイド類を用いてもよい。これらの保湿剤は、１種を単独で、若しくは２種以上を組み合わせて用いることができる。
【００３９】
本発明において、動物用洗浄剤は、上記の添加剤を利用すれば、様々な動物用スキンケア剤として使用することができる。例えは、石鹸、シャンプー、洗顔料、リンス、ローション、動物用養毛剤および育毛剤などが例示される。
【００４０】
本発明において、動物用洗浄剤としては、動物用医薬品に使用される添加剤を併用して配合することができる。添加剤としては、特に制限されないが、油剤、香料、色素、着色料、保存剤、防腐剤、ｐＨ調整剤、増粘剤等が挙げられる。添加量としては、イオンコンプレックスの機能が損なわれることがなければ、特に制限はない。
【実施例】
【００４１】
以下に実施例を示して本発明を具体的に説明するが、本発明は実施例に限定されるものではない。
【００４２】
（小角Ｘ線散乱測定）
下記イオンコンプレックスＩを用いて厚み１ｍｍの試料を作製し、１５ｍｍ×２０ｍｍになるようにカットして試料台に両面テープで固定した。小角Ｘ線回折装置（ＲＩＧＡＫＵ ＮＡＮＯＶｉｅｗ−ＩＰ）を用い、ターゲットをＣｕ、カメラ長約３６８ｍｍ  （ＢｅＡｇ粉末で測定）、ピンホール（１ｓｔ ０．６ｍｍΦ、  ２ｎｄ ０．４ｍｍΦ、３ｒｄ ０．５ｍｍΦ）、ビームストッパー（５ｍｍΦ）検出器として、イメージプレートリーダーを用いて測定を行った。
【００４３】
（イオンコンプレックスＩの製造）
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（４０ｇ）を精製水に溶解し、１８ｗ／ｖ％の溶液とした。当該溶液へ６０℃に保温した塩化セチルピリジニウム（ＣＰＣ）の０．２Ｍ水溶液（１５５１ｇ）を加えた。原料であるポリ−γ−Ｌ−グルタミン酸ナトリウム塩（本ポリマーの含量９０％以上）の水溶液から、ＣＰＣ添加直後に水不溶性材料が形成されることを確認した後、さらに６０℃で４時間保温した。得られた水不溶性材料を濾別回収した後、１０００ｍＬの精製水で計３回洗浄した。さらにアセトンで洗浄することにより脱水した後、真空乾燥し、粉末としてイオンコンプレックス（９３ｇ）を回収した。得られたイオンコンプレックスの１Ｈ−ＮＭＲの結果から、Ｌ−ＰＧＡとセチルピリジニウムが１００：１００のモル比で結合していることが確認された。
【００４４】
（イオンコンプレックスＩＩの製造）
超好塩古細菌ナトリアルバ・エジプチアキア（Ｎ．ａｅｇｙｐｔｉａｃａ）由来の平均分子量１０００ｋＤのポリ−γ−Ｌ−グルタミン酸ナトリウム塩（８０ｇ）を精製水に溶解し、２ｗ／ｖ％の溶液とした。当該溶液へ、２．０Ｍの塩酸（８０ｇ）を加え、ｐＨ４に調整した後、塩化セチルピリジニウム（ＣＰＣ）の０．２Ｍ水溶液（６６８ｇ）を加えた。原料であるポリ−γ−Ｌ−グルタミン酸ナトリウム塩の水溶液から、ＣＰＣ添加直後に水不溶性材料が形成されることを確認した後、６０℃で４時間攪拌した。得られた水不溶性材料を濾別回収した後、６００ｍＬの精製水で計３回洗浄した。洗浄後、湿体の水不溶性材料を真空乾燥し、粉末としてイオンコンプレックス（６７ｇ）を回収した。得られたイオンコンプレックスの１Ｈ−ＮＭＲの結果から、Ｌ−ＰＧＡとセチルピリジニウムが１００：６０のモル比で結合していることが確認された。
【００４５】
以下に製造例を挙げて本発明をより具体的に説明する。以下において、含有量ないし使用量を表す「％」は、特記しないかぎり質量基準である。
【００４６】
（実施例１−４、比較例１）
表１に記載の組成に従い、動物用洗浄剤を製造した。コントロールとして、イオンコンプレックスを含まない動物用洗浄剤も製造した。
【００４７】
【表１】
2019056037.tif 000002
【００４８】
（角質水分量の測定）
表１に示した組成の動物用洗浄剤でイヌを洗浄し、洗浄後のイヌの皮膚の角質水分量を測定した。具体的には、測定前日に腹部の被毛を剃ったイヌ５頭（ビーグル１頭、柴犬３頭、ラブラドールレトリバー１頭）について、腹部に７０％エタノール水溶液を塗布して脱脂綿でふき取った後、２０℃、５０％ＲＨ環境にて３０分間安静にさせ、Corneometer CM825（Courage+Khazaka社）を用いて、腹部の洗浄前の角質水分量を測定した。その後、各動物用洗浄剤をイヌの腹部に２０μＬ／７．５ｃｍ２塗布し、イヌの腹部を５分間洗浄した後、温水で十分に洗い流した。その後、３０分間放置した時の洗浄後の角質水分量を測定した。なお、イヌによっては、前記３０分間に腹部を舐める行動が観察された。洗浄後の角質水分量から洗浄前の角質水分量を減法し、角質水分量の増加量を算出した。角質水分量の増加量のイヌ５頭の平均値を次の基準に従って判定した。結果を表２に示す。
判定基準
○（excellent）：５より多い
△（good）：１〜５
×（bad）：１より少ない
【００４９】
【表２】
2019056037.tif 000003
【００５０】
表２に示すように、実施例１−４は、洗浄前の角質水分量に比して洗浄後の角質水分量が増加した。これは、実施例１−４において、洗浄後においてイヌの皮膚に付着したイオンコンプレックスがラメラ構造を形成するとともにラメラ層間に水分を保持したまま角質層に含浸されたため、角質水分量が増加したものと思われる。一方、比較例１の動物用洗浄剤は、特定のイオンコンプレックスを含有していないため、洗浄により角質水分量が減少する結果となった。
【産業上の利用可能性】
【００５１】
本発明の動物用洗浄剤は、含有するイオンコンプレックスが動物の皮膚に接触した際に角質層に付着、含浸し、乾燥するに従いラメラ構造を形成するため、水分の蒸発を抑制（保湿効果を維持）することができる。よって、産業界に大きく寄与することが期待される。
【図１】
2019056037.tif 000004